(57)【要約】  この加速度スイッチは、内側に空間を備える質量体と、前記質量体を支え、前記質量体を取り囲むように配置される円弧状の梁と、前記梁を固定した状態で前記質量体の周囲に配置される支持部と、前記質量体の内側の空間内に質量体との接触を検出する対向電極とを備え、前記質量体を支える梁は１本であり、前記質量体の内側面と対向電極の外側面の距離、つまり電極間隔は１μｍ以上、かつ２０μｍ以下である。
2011108559.tif 000002
【特許請求の範囲】
【請求項１】
内側に空間を備える質量体と、
前記質量体を支え、加速度を受けたときに前記質量体にかかる慣性力により撓み、かつ前記質量体を取り囲むように配置される円弧状の梁と、
前記梁を支持し、固定した状態で前記質量体の周囲に配置される支持部と、
前記空間内に、加速度を受けたときに前記質量体との接触を検出する対向電極とを備え、
前記質量体を支える梁は１本であり、
前記質量体の内側面と前記対向電極の外側面との距離となる電極間隔は１μｍ以上、かつ２０μｍ以下であることを特徴とする加速度スイッチ。
【請求項２】
前記梁の厚さｈと前記梁の幅ｗは、次式に基づき設定した梁を含むことを特徴とする請求項１に記載の加速度スイッチ。
【数１】
2011108559.tif 000008
δは質量体の変位量であり、Ｅは材料のヤング率であり、変位量δは電極間隔に相当する１μｍ以上かつ２０μｍ以下の条件を満たすものである。
【請求項３】
前記梁の厚さｈと前記梁の幅ｗは、次式に基づき設定した梁を含むことを特徴とする請求項１に記載の加速度スイッチ。
【数２】
2011108559.tif 000009
δは質量体の変位量であり、σは質量体材料の密度であり、ｒ1は質量体の外側の半径であり、ｒ2は質量体の内側の空間の半径であり、Ｈは質量体の厚さであり、ａは印加する加速度である。Ｒは梁の半径であり、Ｅは材料のヤング率であり、νは梁材料のポアソン比であり、変位量δは電極間隔に相当する１μｍ以上かつ２０μｍ以下の条件を満たすものである。
【請求項４】
請求項１記載の加速度スイッチにおいて、前記梁の幅は４μｍ以上、かつ６０μｍ以下であることを特徴とする加速度スイッチ。
【請求項５】
請求項１記載の加速度スイッチにおいて、前記梁の厚さは５μｍ以上、５００μｍ以下で、かつ質量体の厚さ以下であることを特徴とする加速度スイッチ。
【請求項６】
支持部と質量体と梁と前記対向電極を含む加速度スイッチ本体部の外形寸法が、０．５ｍｍ以上、かつ３ｍｍ以下であることを特徴とする請求項１記載の加速度スイッチ。
【請求項７】
支持部と質量体と梁と対向電極を含む加速度スイッチ本体部の外形寸法が０．５ｍｍ以上、かつ１．５ｍｍ以下であり、前記梁の幅が４μｍ以上、かつ２０μｍ以下であって、前記梁の厚さが５μｍ以上、かつ５００μｍ以下で、かつ質量体の厚さ以下であることを特徴とする請求項１に記載の加速度スイッチ。
【請求項８】
前記梁の質量体側の一端と前記梁の支持部側の他端との距離が、前記対向電極と前記質量体の内面との最大距離より大きいことを特徴とする請求項１〜７のいずれか１項に記載の加速度スイッチ。
【請求項９】
前記梁の質量体側の一端と前記支持部との距離が、前記対向電極と前記質量体の内面との最大距離より大きいことを特徴とする請求項１〜７のいずれか１項に記載の加速度スイッチ。
【請求項１０】
前記質量体と前記梁の支持部側の他端との距離が、前記対向電極と前記質量体の内面との最大距離より大きいことを特徴とする請求項１〜７のいずれか１項に記載の加速度スイッチ。
【請求項１１】
前記加速度スイッチは、第１基板と、前記質量体と前記対向電極と前記梁と前記支持部を含む第２基板と、第３基板とが積層される構成であり、
前記第１基板は、外部回路と接続する接点を有し、前記支持部または前記対向電極と接続する接点とする第１の貫通電極と第２の貫通電極とを含み、
前記第１基板と前記第３基板は、前記第２基板に含まれる前記支持部及び前記対向電極とに接合されていることを特徴とする、請求項１〜１０のいずれか１項に記載の加速度スイッチ。
【請求項１２】
前記対向電極は、複数の電極部を含むことを特徴とする、請求項１〜１１のいずれか１項に記載の加速度スイッチ。
【請求項１３】
請求項１〜１２のいずれか１項に記載の加速度スイッチと、前記加速度スイッチから出力される検出信号を検出し、前記検出信号に応じた所定の動作を行う回路と、を備えることを特徴とする電子デバイス。
【発明の詳細な説明】
【技術分野】
【０００１】
本発明は、加速度スイッチ及び加速度スイッチを含む電子デバイスに関する。
【背景技術】
【０００２】
従来からある加速度スイッチとして、質量体内部に対向電極を持ち、質量体を複数の梁で支持する無指向性の加速度スイッチについて、図１９に基づき説明する。図１９は従来の加速度スイッチの上面図であり、この加速度スイッチ１００は、周辺部１０１と、４本の梁１０２〜１０５と、質量体（重り）１０６と、対向電極１０７からなり、この質量体の一端を周辺部に固定した、４本の梁で支えるように構成されている。また、加速度スイッチに印加される加速度に応じて、質量体とこの質量体内部に配置されている対向電極が接触することにより、この加速度スイッチに接続した外部装置が、振動を検出する。なお、この加速度スイッチは、ノーマリーオフかつ無指向性のスイッチとして使用でき、また、半導体製造技術を使用することにより、シリコン単結晶をベースに作製可能なため、比較的小型かつ大量生産可能な点などの様々なメリットがある。【０００３】
そこで、この加速度スイッチを省電力用に、たとえば少容量のバッテリーしか内蔵できないようなポータブル機器に搭載すれば、人間の振動を検出しない時、すなわち、機器を使用しない時は動作を停止し、振動を検出した時、すなわち、機器を使用する時には、自動的に動作を開始して、無駄なバッテリーを使用しない電子デバイス（電子機器）を実現することができる。【０００４】
一方、印加される加速度による振動を感知して、機器のオン、オフを行うような加速度スイッチは、どのような振動の方向にも均等に感知することが望ましいため、無指向性であることが有利となる。このため、特許文献１に示されるように、加速度により重り（質量体）の振動が偏らないように、複数の梁で重りを支えている。【０００５】
このようなポータブル機器に搭載する加速度スイッチは小型化への要求が高いため、加速度スイッチの外形寸法は、より小さい方が有利となる。また、コストダウンへの要求も高く、半導体製造技術を使用し、加速度スイッチの外形寸法をより小さくして、一枚のウェハに多数の加速度スイッチを作製することがより有利となる。
【先行技術文献】
【特許文献】
【０００６】
【特許文献１】意匠登録第１３１００５３号公報
【発明の概要】
【発明が解決しようとする課題】
【０００７】
しかしながら、従来からある加速度スイッチのように重りを支える梁の数を多くすると、加速度による重りの動き、つまり変位量はより小さくなり、結果として加速度スイッチの感度が低下する。また、梁の数を多くすると、梁を配置するための面積も多く必要となり、加速度スイッチの小型化には不利となる。また、加速度スイッチを小型化すると重りも小さくなるため、高い感度を確保するためには、梁の形状をより柔軟にして、重りの変位量をより大きく確保する必要がある。【０００８】
一方、加速度スイッチは、落下時の衝撃に耐えうる耐衝撃性を確保する必要もあり、外部からの衝撃に耐える梁の寸法及び形状も備える必要がある。
また、加速度スイッチは、所定の振動を受けて確実にスイッチが動作し、この加速度スイッチを含む機器を起動させる必要がある。【０００９】
本発明は、このような事情を考慮してなされたものであって、その目的は、小型、高感度で、耐衝撃性を確保するとともに、所定の振動を受けて確実に動作する加速度スイッチ及び加速度スイッチを含む電子デバイスを実現することである。
【課題を解決するための手段】
【００１０】
本発明に係る加速度スイッチは、内側に空間を備える質量体と、前記質量体を支え、加速度を受けたときに前記質量体にかかる慣性力により撓み、かつ前記質量体を取り囲むように配置される円弧状の梁と、前記梁を支持し、固定した状態で前記質量体の周囲に配置される支持部と、前記質量体の空間内に、加速度を受けたときに前記質量体との接触を検出する対向電極とを備え、前記質量体を支える梁は１本であり、前記質量体の内側面と前記対向電極の外側面との距離となる電極間隔は１μｍ以上、かつ２０μｍ以下であることを特徴とする。【００１１】
本発明に係る加速度スイッチによれば、電極間隔を１μｍ以上、かつ２０μｍ以下の条件で形成し、加速度スイッチに必要な感度の精度を確保する。また、小型化したとしても、梁が１本のため梁の数が複数のスイッチに比較して梁の占める領域が小さくなるため、質量体の体積を確保でき、かつ梁の長さも確保できるので、質量体の変位量を大きく確保し、かつ、十分な感度を有する加速度スイッチを実現することができる。【００１２】
また、前記加速度スイッチにおいて、前記梁の厚さｈと前記梁の幅ｗは次式に基づき設定した梁を含むことを特徴とする。
【数１】
2011108559.tif 000003
δは質量体の変位量であり、Ｅは材料のヤング率であり、変位量δは電極間隔に相当する１μｍ以上かつ２０μｍ以下の条件を満たすものである。【００１３】
この加速度スイッチによれば、梁の厚さと梁の幅の比率を変更することにより、質量体の変位量を所定の値に設定することができるため、所定の振動で確実に動作する加速度スイッチを実現することができる。【００１４】
また、前記加速度スイッチにおいて、前記梁の幅ｗと前記梁の厚さｈを次式に基づき設定した梁を含むことを特徴とする。
【数２】
2011108559.tif 000004
δを質量体の変位量、σを質量体材料の密度、Ｒを梁の半径、ｒ1を質量体の外側の半径、ｒ2を質量体の内側の空間の半径、Ｈを質量体の厚さ、ａを印加する加速度である。Ｅを梁材料のヤング率であり、νは梁材料のポアソン比であり、変位量δは電極間隔に相当する１μｍ以上、かつ２０μｍ以下の条件を満たすものとする。【００１５】
この加速度スイッチによれば、加速度スイッチを小型化したとしても、質量体のスペースを最大限確保しつつ、梁の幅ｗと梁の厚さｈを最適条件に設定できるため、耐衝撃性を備え、かつ所定の振動で確実に動作する加速度スイッチを実現することができる。【００１６】
また、前記加速度スイッチにおいて、前記梁の幅は４μｍ以上、かつ６０μｍ以下であることを特徴とする。【００１７】
この加速度スイッチによれば、加速度スイッチを小型化したとしても、梁の幅の精度を確保し、質量体のスペースを最大限確保するとともに、所定の振動で確実に動作する加速度スイッチを実現することができる。【００１８】
また、前記加速度スイッチにおいて、前記梁の厚さは５μｍ以上、５００μｍ以下で、かつ質量体の厚さ以下あることを特徴とする。【００１９】
この加速度スイッチによれば、落下時に梁に加わる衝撃に耐えるために必要な耐衝撃性を確保するとともに、加速度スイッチを小型化したとしても、所定の振動で確実に動作する加速度スイッチを実現することができる。【００２０】
また、支持部と質量体と梁と対向電極を含む加速度スイッチ本体部の外形寸法が、０．５ｍｍ以上、かつ３ｍｍ以下であることを特徴とする。【００２１】
この支持部と質量体と梁と対向電極を含む加速度スイッチ本体部の外形寸法が、０．５ｍｍ以上、かつ３ｍｍ以下の加速度スイッチによれば、梁の幅および梁の厚さを設定する自由度が高く、加速度スイッチを小型化したとしても、加速度スイッチの感度を幅広く設定することが可能となる。【００２２】
また、支持部と質量体と梁と対向電極を含む加速度スイッチ本体部の外形寸法が０．５ｍｍ以上、かつ１．５ｍｍ以下であり、前記梁の幅が４μｍ以上、かつ２０μｍ以下であって、前記梁の厚さが５μｍ以上、かつ５００μｍ以下で、かつ質量体の厚さ以下であることを特徴とする。【００２３】
この支持部と質量体と梁と対向電極を含む加速度スイッチ本体部の外形寸法が０．５ｍｍ以上、かつ１．５ｍｍ以下の加速度スイッチは、外形寸法２ｍｍ程度の加速度スイッチと比較して、より小型であるため、加速度スイッチ１個当たりの生産コストを抑えることが可能となる。また、加速度スイッチを実装するためのスペースをより小さくできるため、より小型の電子デバイスに搭載することができる。【００２４】
また、前記加速度スイッチにおいて、（１）梁の質量体側の一端と梁の支持部側の他端との距離が、前記対向電極と前記質量体の内面との最大距離より大きく、（２）前記質量体と前記梁の支持部側の他端との距離が、前記対向電極と前記質量体の内面との最大距離より大きく、（３）前記梁の質量体側の一端と前記支持部との距離が、前記対向電極と前記質量体の内面との最大距離より大きいことを特徴とする。【００２５】
本発明に係る加速度スイッチによれば、前記加速度スイッチにおいて、質量体の内側面と対向電極の側面の間隔、つまり電極間隔より、（１）梁の質量体側の一端と梁の支持部側の他端、（２）質量体と前記梁の支持部側の他端、（３）前記梁の質量体側の一端と前記支持部の間隔を大きくすることにより、重りと対向電極が接触するより先に、質量体と梁もしくは支持部と梁もしくは梁同士が接触する現象を避けることができるため、水平方向に一定以上の振動が加わった場合でも確実に加速度スイッチで振動を検出することが可能となる。【００２６】
さらに、前記加速度スイッチにおいて、第１基板と、前記質量体と前記対向電極と前記梁と前記支持部を含む第２基板と、第３基板とが積層される構成であり、前記第１基板は、外部回路と接続する接点を有し、前記支持部または前記対向電極と接続する接点とする第１の貫通電極と第２の貫通電極とを含み、前記第１基板と前記第３基板は、前記第２基板に含まれる前記支持部及び前記対向電極とに接合されていることを特徴とする【００２７】
この加速度スイッチによれば、第２基板を挟み込むように第１基板及び第３基板を接合することにより、質量体、梁、対向電極を外部環境から保護することができる。さらに、第１基板を貫通する、第１及び第２の貫通電極を介して、外部の電子デバイスとの接続を確保することができるため、加速度スイッチの実装と、実装する基板を介して振動を検出する電子デバイスとの電気的接続とを容易に実現することが可能となる。【００２８】
また、前記加速度スイッチにおいて、前記対向電極は、複数の電極部を含むことを特徴とする。【００２９】
この加速度スイッチによれば、複数の電極部と質量体との接触の有無を外部回路で検出することにより、一定以上の振動検出のみならず、その加速度が印加する方向を検出することができるため、加速度スイッチの移動方向や加速度スイッチに対する傾き方向を検出することが可能となる。【００３０】
また、本発明に係る電子デバイスにおいて、前記加速度スイッチを含み、前記加速度スイッチから出力される検出信号を検出し、前記検出信号に応じた所定の動作を行う回路と、を電子デバイスに備えることを特徴とする。【００３１】
この電子デバイスによれば、小型かつ高感度で、ノーマリーオフの前記加速度スイッチを搭載することにより、振動を検出しない時、すなわち、機器を使用していない時は機器を停止しておき、振動を検出した時、すなわち、機器を使用している時のみ、自動的に電子デバイスを動作させるように制御できるため、電子デバイスの小型化と低消費電力化を低コストで実現することが可能となる。
【発明の効果】
【００３２】
本発明によれば、必要な耐衝撃性を確保するとともに、小型かつ高感度で、所定の振動で確実に動作する加速度スイッチ及び加速度スイッチを含む電子デバイスを実現することができる。
【図面の簡単な説明】
【００３３】
【図１】本発明に係る加速度スイッチの構成を示す断面図である。
【図２】図１のＡ−Ａ´面に沿った加速度スイッチの縦断面図である。
【図３】本発明に係る加速度スイッチのキャップ層（第１基板）の上面図である。
【図４】本発明に係る加速度スイッチの動作を示す説明図である。
【図５】第１のシミュレーションを行う加速度スイッチの上面図である。
【図６】図５の加速度スイッチのＸ軸上の縦断面図である。
【図７】図５の加速度スイッチのＸ軸及びＹ軸と構造体の交点を示す図である。
【図８】第２，３のシミュレーションを行う加速度スイッチの上面図である。
【図９】第２，３のシミュレーションを行う加速度スイッチの縦断面図である。
【図１０】ＳＯＩウェハを第２基板として使用した加速度スイッチの断面構成を示す説明図である。
【図１１】外形寸法２ｍｍの加速度スイッチに対する第２のシミュレーション結果を示すグラフである。
【図１２】外形寸法２ｍｍの加速度スイッチに対する第２のシミュレーション結果を示す表である。
【図１３】外形寸法１ｍｍの加速度スイッチに対する第３のシミュレーション結果を示すグラフである。
【図１４】外形寸法１ｍｍの加速度スイッチに対する第３のシミュレーション結果を示す表である。
【図１５】ｘ方向の振動方向を検出する加速度スイッチの断面図である。
【図１６】図１５の加速度スイッチのＣ−Ｃ´面に沿った加速度スイッチの縦断面図である。
【図１７】図１５に示す加速度スイッチの動作を示す説明図である。
【図１８】ｘ，ｙ方向の振動方向を検出する加速度スイッチの断面図である。
【図１９】従来の加速度スイッチの構成を示す上面図である。
【発明を実施するための形態】
【００３４】
［加速度スイッチの構成と動作］
以下、本発明を実施するための実施形態について図面を参照して説明する。
【００３５】
図１は、本発明に係る、加速度スイッチ１０の断面図である。なお、この断面の上下には、キャップ層となる第１基板、支持層となる第３基板が存在する。図２は、図１で示すＡ−Ａ´面で切った縦断面図であり、キャップ層と支持層も含む。また、図１は図２のＢ−Ｂ´面で切った断面に相当する。図３は図１で省略した上部のキャップ層の上面図である。さらに、図１同様に図３のＡ−Ａ´面で切った縦断面図も図２となる。
【００３６】
図１〜３に示すように、加速度スイッチ１０は、上から、ガラスなどの絶縁材料を用いる第１基板１５と、単結晶シリコンなどを用いる第２基板１１と、ガラスなどの絶縁材料を用いる第３基板１６により、互いに積層されるように構成されている。第２基板１１は、シリコンエッチングにより、支持部１１ａ、梁１２、重り（質量体）１３、対向電極１４が形成されている。梁１２は、一端を第２基板１１の周辺に配置される支持部１１ａに固定され、他端を重り１３に固定する。なお、梁１２の支持部１１ａ側の一端を接続部１２ａとし、梁の重り１３側の他端を接続部１２ｂとする。重り１３は、内側に空間が形成されており、梁１２の内側に配置され、その梁によって支持されている。対向電極１４は、重り１３の内側に形成された空間に配置され、加速度スイッチ１０に、水平方向への一定以上の振動が加わった場合、重りに接触して、重りの移動を一定範囲内に規制する。なお、第２基板１１の単結晶シリコンは、梁１２から重り１３を介して対向電極１４への電気的な導通を取るため、低抵抗シリコン等を使用する。また、貫通電極１７，１８は、金などの導体を埋め込むことにより第１基板１５を貫通するように形成され、それぞれ、一端を梁１２を支持する支持部１１ａ及び対向電極１４と電気的に接続し、他端を外部回路と電気的に接続する。なお、第１基板１５と第３基板１６は、陽極接合などの方法により、第２基板１１と接合されている。
【００３７】
次に、本発明に係る加速度スイッチの動作について、図４の説明図に基づき説明する。なお、図４では、重り１３の動きをわかりやすくするため、重り周辺の梁やその周辺部は省略する。
まず、加速度スイッチに矢印方向に加速度が加わると、重りを除く加速度スイッチ全体は矢印方向に運動する。一方、梁で支えられた重りは、直接加速度が加わらず運動しないため、重り内部の空間に配置されている対向電極１４と重り１３が接触する。これにより、重り１３と対向電極１４との電気的導通が確保され、図１，２で示すように、梁１２、支持部１１ａ、貫通電極１７とは常時、電気的に接続されているため、一定値以上の加速度が加速度スイッチ１０に加わる場合に限り、重り１３と対向電極１４が接触し、貫通電極１７と貫通電極１８は電気的に接続する。
【００３８】
また、図１に示す重り１３を一本の梁で支え、重りの外周を実質的に取り囲むように梁１２を形成した加速度スイッチ１０においては、重りと支持部１１ａとの隙間に、重りの変位量を確保する目的で梁１２をできるだけ長く形成すると、必然的に梁と支持部との接続部１２ａと、梁と重りとの接続部１２ｂが接近する構成となる。一方、接続部１２ａと接続部１２ｂが接近しすぎると、重り１３と対向電極１４が接触するより先に接続部１２ａと接続部１２ｂが接触することにより、水平方向に一定以上の振動が加わった場合でも加速度スイッチで振動を検出しない現象が発生する。そこで、本発明に係る加速度スイッチは、梁の支持部との一端１２ａと重り（質量体）の他端との間隔（距離）を、重りの内面と対向電極１４との間隔（距離）以上確保することにより、一定の振動以上で重りと対向電極を確実に接触するように構成している。
【００３９】
また、梁１２の支持部との接続部１２ａと重り１３との隙間が狭すぎる場合にも、重りと対向電極が接触するより先に接続部１２ａと重り１３が接触することにより、水平方向に一定以上の振動が加わった場合でも加速度スイッチで振動を検出できない現象が発生する。そこで、本発明に係る加速度スイッチは、梁の支持部側の一端と、梁の重り外側面との間隔（距離）を、重り（質量体）の内面と対向電極との間隔以上確保することにより、所定の振動以上で重りと対向電極を確実に接触するように構成している。
【００４０】
さらに、梁１２の重り１３との接続部１２ｂと、支持部１１ａ内側面との隙間が狭すぎる場合にも、重り１３と対向電極１４が接触するより先に接続部１２ｂと支持部１１ａが接触することにより、水平方向に一定以上の振動が加わった場合でも加速度スイッチで振動を検出できない現象が発生する。そこで、本発明に係る加速度スイッチは、梁の支持部側の一端と、梁の重り（質量体）側の他端との距離を、重りの内面と対向電極との間隔以上確保することにより、所定の振動以上で重りと対向電極を確実に接触するように構成している。
【００４１】
次に、本発明の他の実施形態として、本発明に係る加速度スイッチを、電子デバイスの起動用スイッチとして使用することにより、振動を検出することが可能となる電子デバイスについて説明する。この電子デバイスは、これまで説明した加速度スイッチと接続され、加速度スイッチの貫通電極１７，１８を介して、加速度スイッチの開閉状態変化を検出信号として検出することにより、この電子デバイスは、所定の動作を行う。つまり、振動を検出したときに自らを起動し、振動を検出しないときに自らを停止（オフ）もしくは休止状態に維持、もしくは起動（オン）状態から停止もしくは休止状態に移行することにより、無駄なバッテリーの使用を制限するため、電子デバイスの小型化と低消費電力化を低コストで実現することができる。
［１本梁の加速度スイッチの感度等方性−第１のシミュレーション］
【００４２】
なお、重り中心に空間を形成し、その空間内部に対向電極を持つ加速度スイッチにおいて、平面方向の感度を均一にするためには、複数の梁で重りを支える方が偏りは少なくすることができるため、無指向性の加速度スイッチには適している。
しかし、この場合、梁の本数が多くなるために、重りの変位量は小さくなって、感度が低下する。そこで、重りを梁１本で支えた加速度スイッチの平面方向について、重りの変位量の偏りを検証し、１本梁の場合の使用の可否を検討する。１本梁で重りを支えた場合でも変位量の偏りがなければ、２本以上の梁で支持した場合と比較して、基本的に高感度であり、梁の占めるスペースも少なくできるため、加速度スイッチの小型化を実現するためには、有利となる。
【００４３】
そこで、図５〜７に示す加速度スイッチのモデルに基づき第１のシミュレーションを行い、１本梁の加速度スイッチの感度等方性について、検証する。具体的には、単結晶シリコンを構造体の材料として用い、重力に相当する−Ｚ軸方向と、及び印加する振動に相当するＸ−Ｙ平面方向に対して、それぞれ加速度１Ｇを印加する条件で、重りの変位量を計算する第１のシミュレーションを行い、重りを１本梁で支える加速度スイッチの変位量のバラツキの有無、つまり感度等方性について検証する。これは加速度スイッチを水平に置き、さらに平面方向に加速度を加えた状態に相当する。
【００４４】
まず、第１のシミュレーションを行う加速度スイッチの形状と条件について、以下のように設定する。この第１のシミュレーションに用いた加速度スイッチ２０のモデルを図５に示す。図５は加速度スイッチ２０の上面図であり、Ｘ−Ｙ平面上にＸ軸、Ｙ軸の交点を（０、０）として、モデルを作成した。図６は図５のＸ軸上の縦断面図である。ここでは重り２３の変位量に注目したため、重り内側に配置される対向電極を省略している。また、図５は図１〜３で示した加速度スイッチのように加速度スイッチの全体ではなく、シミュレーションに必要な可動部分を含む構造体部分のみ、モデル化している。この第１のシミュレーションでは、梁厚を２０及び４０μｍの２種類の条件で、重り２３の最大変位量について計算する。このシミュレーションは、コベンターを使用して計算を行っている。
【００４５】
なお、図５，６で示す加速度スイッチは、重り２３の外縁は２つの半円弧を合成した形としている。重り外側の円弧の左半分は下記の重り外側の半径（ｂ１）の条件でモデル化し、重り外側の円弧の右半分は左半分の円弧の端を繋ぐ円弧として図７に示す座標でモデル化している。ただし、重り内側の空間は左右対称の真円とし、重り内側の半径（ａ１）の条件でモデル化している。円弧の左半分の外枠にあたる支持部２１ａの内径（ｃ１）、梁の内側の半径（ｄ１）、梁の外側の半径（ｅ１）は下記の条件でモデル化している。また、梁幅（ｆ１）、梁と重り外側および梁と支持部との間隔（ｇ１）（ｇ２）、梁厚（ｈ１）、重りの厚さ（ｉ１）は、下記の条件でモデル化している。なお、重りの厚さ（ｉ１）を含めた構造体の厚みは左右均等である。
第１のシミュレーションモデルの条件  （単位はμｍ）
重り内側の半径（ａ１）：                １００
重り外側の半径（ｂ１）：                ５８５
外枠の内径（ｃ１）：                    ６３５
梁の内側の半径（ｄ１）：                ６０５
梁の外形の半径（ｅ１）：                ６１５
梁幅（ｆ１）：                            １０
梁と重り外側との間隔（ｇ１）：            ２０
梁と支持部との間隔（ｇ２）：              ２０
梁厚（ｈ１）：                            ２０  及び  ４０
重りの厚さ（ｉ１）：                    ３５０
【００４６】
また、円弧の条件を示すため、左右の重りの外縁、梁、外枠にあたる支持部の内縁と、Ｘ軸及びＹ軸との交点の座標を下記の通り示す。これらは、図７に示す左右の重りの外縁、梁、外枠の内縁とＸ軸及びＹ軸との各交点の座標である。（単位はμｍ）
Ｘ軸との交点       ｘ１：（６３５，０）
ｘ２：（６１５，０）
ｘ３：（６０５，０）
ｘ４：（５８５，０）
ｘ５：（−５７０，０）
ｘ６：（−５９０，０）
ｘ７：（―６００，０）
ｘ８：（−６２０，０）
Ｙ軸との交点       ｙ１：（０，６３５）
ｙ２：（０，６１５）
ｙ３：（０，６０５）
ｙ４：（０，５８５）
ｙ５：（０，５７５）
ｙ６：（０，５５５）
ｙ７：（０，−５８５）
ｙ８：（０，−６０５）
ｙ９：（０，−６１５）
ｙ１０：（０，−６３５）
【００４７】
なお、第１のシミュレーションに使用する第１基板の材料である単結晶シリコンの物性値は下記のとおりである。
ヤング率Ｅ    ：  １６５ＧＰａ
ポアソン比ν  ：  ０．３０
密度σ        ：  ２５００Ｋｇ／ｍ3
【００４８】
図５〜７に示す加速度スイッチの形状に基づき、重力に相当するＺ軸方向と振動に相当するＸ軸方向に１Ｇの加速度を加速度スイッチに加えた場合の第１のシミュレーションの計算結果は下記の通りである。
（１ａ）梁厚が２０μｍの場合の重りの変位量
Ｘ方向の最大値：２３．６７μｍ
Ｙ方向の最大値：  ３．４２μｍ
（１ｂ）梁厚が４０μｍの場合の重りの変位量
Ｘ方向の最大値：１２．１７μｍ
Ｙ方向の最大値：  １．８７μｍ
【００４９】
また同様に図５に示す形状でＺ軸方向とＹ軸方向に１Ｇの加速度を加えた第１のシミュレーション結果は下記の通りである。
（２ａ）梁厚が２０μｍの場合の重りの変位量
Ｙ方向の最大値：２３．７０μｍ
Ｘ方向の最大値：  ０．６５μｍ
（２ｂ）梁厚が４０μｍの場合の重りの変位量
Ｙ方向の最大値：１２．０９μｍ
Ｘ方向の最大値：  ０．３４μｍ
【００５０】
この第１のシミュレーション結果より、次の３点の特性を得た。
（１）Ｘ，Ｙ軸の同軸感度：Ｘ軸方向に加速度を加えた場合のＸ軸方向の最大変位量と  、Ｙ軸方向に加速度を加えた場合のＹ軸方向の最大変位量との差は０．１２％程度であ  り、Ｘ、Ｙ方向にほぼ同等の変位量を示す。
（２）Ｘ軸の他軸感度：Ｘ軸方向に加速度を加えた場合、傾きとしてＹ方向へ変位する  量（他軸変位量）は、Ｘ方向の最大変位量の１４％程度（梁厚が２０μｍの場合）、及  び１５％程度（梁厚が４０μｍの場合）である。
（３）Ｙ軸の他軸感度：Ｙ軸方向に加速度を加えた場合、傾きとしてＸ方向へ変位する  量（他軸変位量）は、Ｙ方向の最大変位量の２．７％程度（梁厚が２０μｍの場合）、  及び２．８％程度（梁厚が４０μｍの場合）である。
【００５１】
第１のシミュレーションで得られた（１）〜（３）の特性により、加速度スイッチが円弧状の１本梁で重りを支持する構成でも、加速度印加方向の感度であるＸ方向とＹ方向の同軸感度はほぼ同等であり、加速度印加方向とは面内垂直方向の感度である他軸感度は加速度印加方向の感度である同軸感度よりはるかに少ないことが明らかである。したがって、例えば、人間の動きを振動で感知してポータブル機器のオン／オフを行うような使い方としては十分に等方的な感度を持ち、加速度が加えられた方向によって、感度が低くなったり、加えられた方向に対して面内垂直方向の感度が高くなるという現象は発生しない。したがって、加速度スイッチにおいて、１本梁で重りを支持する構成でも、十分に等方的な感度を確保できることが明らかである。なお、図５に示す加速度スイッチは、重りを支える梁の構成を一本梁、かつ一巻きとしているが、重りを支える梁の構成を二巻き、三巻き等の多重巻きとした加速度スイッチでも、等方的な感度を有することは明らかである。また、等方的な感度を損なわない程度であれば、一巻き未満の梁の構成とすることも可能である。
［加速度スイッチの梁の条件−第２のシミュレーション］
【００５２】
この第２のシミュレーションでは、１本梁の構成を備える加速度スイッチにおいて、最良な梁の条件について分析する。具体的には、第２のシミュレーションモデルに基づき、外形寸法２ｍｍ（角）の加速度スイッチの各条件を設定し、種々の梁幅及び梁厚条件を可変させ、種々の条件における重りの変位量を得ることにより、最良な梁の条件を分析し、加速度スイッチの最良な梁の条件を規定する。
【００５３】
まず、第２のシミュレーションを行う加速度スイッチ３０に関する各条件について、図８，９に基づき説明する。図８は、第２のシミュレーションのモデルとなる加速度スイッチ３０の上面図であり、図９は、図９の加速度スイッチの縦断面図である。この加速度スイッチ３０は、シリコン基板をエッチング処理して形成された、支持部３１ａ、梁３２、重り（質量体）３３、対向電極３４で構成される。  また、重り３３の内側面と対向電極３４の外側面との電極間隔を３５とする。重り３３は、シリコン基板の厚みをそのまま重りの厚みとすると作製が容易であり、またシリコン基板自体も厚い方が重りの変位量が多くなり、加速度スイッチの感度を高めることができる。一方、シリコン基板を厚くすると、ドライエッチング処理の制約で、加速度スイッチの各部を形成するエッチング処理時間が長くなる問題がある。このシリコン基板のエッチングには、ドライエッチングの一種であるボッシュプロセスを適用することにより、厚いシリコン基板でも短時間にエッチング処理を終了させることが可能である。しかし、シリコン基板が厚すぎる場合は、ボッシュプロセスを適用してもシリコンエッチングの処理時間が長くなるため、製造コストが上昇するとともに、エッチング可能なアスペクト比の限界から、重りの寸法、形状の制御が困難となる。したがって、シリコン基板の厚みは５００μｍ以下であることが望ましい。今回のシミュレーションでは、シリコン基板の厚みを３５０μｍに設定する。
【００５４】
また、加速度スイッチの支持部３１ａは、陽極接合等に使用する際に必要となる接合用の領域でもある。この領域の条件として、外形寸法２ｍｍの加速度スイッチの場合は、接合用ののりしろを２０％程度、すなわち片側２００μｍ程度で、チップ両サイドを合計すると４００μｍ程度の領域を確保する必要がある。したがって、重り及び重りの周囲に配置される梁の外周を含めた直径寸法は１６００μｍ程度となる。また、梁幅を５〜１０μｍ程度とすると、梁と重り、及び梁と支持部との隙間も確保する必要があるため、重り外側の寸法は１５５０μｍ程度となる。今回のシミュレーションでは、重りの直径寸法を１５５０μｍに設定する。
【００５５】
なお、この加速度スイッチは人間が身につける、ポータブル機器の電力セーブ用のアプリケーションで使用することを前提とし、人間の動きによる加速度ないしは振動を検出した時にシステムをオンし、振動を検出しない時、すなわち、人間が静止もしくは休息している時には機器の使用を止めるような機器を想定しているので、必要とされる感度は、加速度１Ｇ前後、もしくは１Ｇ以下である。今回のシミュレーションでは、加速度１Ｇを加速度スイッチに印加した場合に必要な梁の形状の条件を算出する。また、加速度スイッチの使用方法として、加速度スイッチを水平に設置せずに立てて設置する場合もある。この場合は、垂直方向に重力１Ｇがオフセットとして加わるため１Ｇの感度を得るためには２Ｇの感度のスイッチが必要となる。
【００５６】
次に、第２のシミュレーションを行う加速度スイッチの感度と電極間隔について、説明する。加速度スイッチの感度は、重りの変位量に比例し、重り内側面と対向電極側面との距離である電極間隔に反比例する。仮に加速度スイッチに１Ｇの加速度が加わったときに重りの変位量が１０μｍの場合、電極間隔を１０μｍに設定することにより、対向電極と重りが接触して電気的に接続し、最終的に加速度スイッチに接続された電子デバイスが検出信号として検出する。この電極間隔１０μｍの加速度スイッチが、感度１Ｇの加速度スイッチとなる。また、電極間隔を５μｍに設定することにより、重りは半分の変位量、すなわち半分の加速度の０．５Ｇでスイッチが入る。すなわち、この電極間隔５μｍの加速度スイッチが、感度０．５Ｇの加速度スイッチとなる。このように、電極間隔は感度を決める重要な要素であり、加速度スイッチを設計する際に、想定する印加加速度に応じて、設定する。例えば、電極間隔をより短く設定することにより、加速度スイッチの感度を高めることができる。
【００５７】
しかしながら、電極間隔に関しては、製造面の制約がある。加速度スイッチの電極間の隙間を形成するためのシリコンエッチングプロセスとして、ボッシュプロセスを適用すると、電極間隔の精度で感度が大きく変化するため、より高精度なエッチングを行う必要がある。電極間隔をより狭く形成する場合、サイドエッチングやスキャロッピングなどの現象が、電極間隔の寸法精度に影響し、感度に影響するようになる。したがって、加速度スイッチの製造時の再現性や精度を考慮すると、電極間隔１μｍ程度が現実的な最小値となる。反対に、電極間隔をより広く形成すると、確実に、重りが対向電極に先に接触するためには、重りと梁及び梁と支持部との間隔をより広く確保する必要があり、この間隔が大きいと外形寸法が小さくならずコスト的に不利となる。このため、小型の加速度スイッチにおいては、電極間隔２０μｍが現実的な最大値となる。
【００５８】
また、梁の寸法に関しても、製造面の制約があり、電極間隔と同様にシリコンエッチングプロセスの制約を受ける。前記の電極間隔である隙間の作製条件と同様に、ボッシュプロセスを使用する場合、シリコン基板の厚さ：３５０μｍの条件で、梁幅１μｍ程度に設定することも可能であるが、この梁に関しても、製造上の再現性や精度等の制約により、梁幅４μｍ程度が現実的な最小値となる。
【００５９】
なお、梁厚に関しては、図１０に示す加速度スイッチ４０の説明図で示すように、ＳＯＩ層４９を含むＳＯＩウェハを第２基板４１として使用すれば、この活性層の厚みをそのまま梁４２の厚みとして作製できるため、製造の再現性や精度等による作製可能な寸法の制約が少なくなるとともに、一定の寸法精度も確保することもできる。ただし、加速度スイッチの落下時を想定した場合の耐衝撃性を考慮すると、梁厚を極端に薄く作製することは避ける必要があるため、５μｍ程度が現実的な梁厚の最小値となる。
【００６０】
次に、図８の上面図，図９の縦断面図に示す構造を持つ外形寸法２ｍｍの加速度スイッチを想定した、下記条件に基づく第２のシミュレーションを行い、最良な梁の条件について分析する。なお、重りの変位量はｘ方向に１Ｇの加速度を加速度スイッチに印加した時
のｘ方向の変位量δであり、下記の式（１）に基づき算出する。また、式（１）の条件は
、梁及び重りの材料であるシリコンの物性等の条件については前記第１のシミュレーションの条件に基づき、その他の条件については、上述した２ｍｍの加速度スイッチの重り及び梁形状、電極間隔等の各条件に基づき設定する。
外形寸法２ｍｍの加速度スイッチの各条件    （単位：μｍ）
重り内の半径（ｒ1）：                          １５５
重り外形の半径（ｒ2）：                        ７６０
梁幅（ｗ）  ：                                 可変
電極間隔（３５）：                             限定せず
梁厚（ｈ）：                                   可変
重りの厚さ（Ｈ）：                             ３５０
【００６１】
この外形寸法２ｍｍの加速度スイッチの条件を使用し、下記の式（１）に基づく第２のシミュレーションを種々の条件下で行うことにより、加速度スイッチとして有効な重りの変位量を満たす梁幅ｗ及び梁厚ｈの条件を求めた。この第２のシミュレーション結果を図１１のグラフ及び図１２の表に示す。
【００６２】
なお、下記の式（１）では、δを重りの変位量、σを重り材料の密度、πを円周率、ｒ1を重りの外側の半径、ｒ2を重りの内側空間の半径、Ｈを重りの厚さ、ａを印加される加速度、Ｒを梁の半径、Ｅを梁材料のヤング率、νを梁材料のポアソン比とした。ただし、実際の重りの変位量は、実際の第２基板の材料によるヤング率のバラツキの影響を含むため、変位量δの式（１）を近似式とし、第２基板の材料及び重り及び梁の形状によって変動しない定数を除いた変位量δの式（２）を比例式とする。
【数３】
2011108559.tif 000005
【数２】
2011108559.tif 000006
なお、梁幅及び梁厚を調整して、電極間隔に合わせて重りの変位量を設定する場合、変位量δと梁厚ｈ及び梁幅ｗについては、式（２）を更に簡略化した式（３）の比例式が成立する。
【数１】
2011108559.tif 000007
【００６３】
図１１のグラフは、外形寸法２ｍｍの加速度スイッチの各条件を設定し、図９の平面方向（ｘ方向）に、加速度ａとして１Ｇ（９．８Ｎ）を加えた場合の梁厚（横軸）及び梁幅
（線種）と重りの変位量（縦軸）を示す。また、図１２の表は、種々の梁厚及び梁幅条件による重りの変位量を示し、斜線部分は、電極間隔１μｍの条件で、重りが対向電極に接触する条件を示す。なお電極間隔１μｍの条件はシリコンエッチングプロセスで作製可能な電極間隔の下限値に対応する。
【００６４】
次に、上述した電極間隔及び梁幅、梁厚条件と、第２のシミュレーション結果から、外形寸法２ｍｍの加速度スイッチに必要な条件について分析する。
最初に、シリコンエッチングプロセスで作製可能な電極間隔の下限値が１μｍであるため、電極間隔の下限値を規定すると１μｍとなる。また、電極間隔が広すぎる場合、重りと対向電極間の隙間の確保に加えて、重りと梁及び梁と支持部との隙間も確保する必要があることから、電極間隔の上限値を規定すると２０μｍとなる。この電極間隔の範囲、すなわち１μｍ以上、かつ２０μｍ以下を加速度スイッチの第１条件として規定する。
【００６５】
また、梁幅についても、シリコンエッチングプロセスで作製可能な下限値があり、その値は４μｍである。したがって、梁幅の下限値を加速度スイッチの第２条件として規定すると、４μｍとなる。
【００６６】
また、梁厚についても、落下時の耐衝撃性を確保するための下限値が存在する。梁幅を大きく形成すると、重りの変位量を確保するために、梁厚を小さく形成する必要があるが、梁厚を小さく形成しすぎると、特に、図９に示す垂直方向（ｚ方向）に加わる加速度への耐衝撃性を確保できない。そこで、その垂直方向の耐衝撃性を確保するための梁厚の下限値を加速度スイッチの第３条件として規定すると、５μｍとなる。
【００６７】
さらに、外形寸法２ｍｍの加速度スイッチにおいて、感度１Ｇ以上の加速度スイッチを実現するためには、重りの変位量を１μｍ以上確保する必要があり、その条件を満たす梁幅及び梁厚は、図１２の表の斜線部分に対応する梁幅及び梁厚である。そこで、上述の加速度スイッチの第２条件と第３条件を含めて、加速度スイッチの第４条件として規定すると、具体的には、梁幅は４μｍ以上、かつ６０μｍ以下、梁厚は５μｍ以上、かつ５００μｍ以下の範囲となる。この梁厚の上限値は、上述した望ましいシリコン基板の厚み：５００μｍ以下の条件により規定した。また、重りの変位量を確保するためには、重りの厚さより、梁厚を薄くする方が有利であるため、実際の梁厚の上限値は、重りの厚さ以下で規定する。なお、電極間隔の上限値を２０μｍに規定したとしても、電極間隔より梁幅を大きく形成した場合、その分、梁のスペースを確保する必要があるため、外形寸法２ｍｍの加速度スイッチを実現する条件として、より好ましい梁幅の上限値は２０μｍ以下である。
［加速度スイッチの梁の条件−第３のシミュレーション］
【００６８】
次に、図８，９に示す構造を持ち、より小型の加速度スイッチを想定した、第３のシミュレーションを行い、最良の梁の条件について、分析する。具体的には、外形寸法１ｍｍ（角）の加速度スイッチの条件を設定し、種々の梁幅及び梁厚条件を可変させ、種々の条件における重りの変位量を得ることにより、最良な梁の条件を分析し、加速度スイッチの最良な梁の条件を規定する。
【００６９】
まず、図８に示す加速度スイッチにおいて、Ｘ方向に１Ｇの加速度を外形寸法１ｍｍの加速度スイッチに印加した時の、ｘ方向の重りの変位量δを上述の式（１）に基づき算出する。なお、この第３のシミュレーションにおける式（１）の条件は、梁及び重りの材料であるシリコンの物性等の条件については前記第１のシミュレーションの条件に基づき、その他の条件については下記に示す外形寸法１ｍｍの加速度スイッチの各条件に基づく。
外形寸法１ｍｍ（角）の加速度スイッチの各条件    （単位：μｍ）
重り内の半径（ｒ2）：                          ７７．５
重り外形の半径（ｒ1）：                        ３８０
梁幅（ｗ）：                                   可変
電極間隔（３５）：                             限定せず
梁厚（ｈ）：                                   可変
重りの厚さ（Ｈ）：                             ３５０
【００７０】
この外形寸法１ｍｍの加速度スイッチの各条件を使用し、上述の式（１）の基づく第３のシミュレーションを種々の条件下で行うことにより、加速度スイッチとして有効な重りの変位量を満たす梁幅ｗ及び梁厚ｈの条件を求めた。この第３のシミュレーション結果を図１３のグラフ及び図１４の表に示す。
【００７１】
図１３のグラフは、外形寸法１ｍｍの加速度スイッチの各条件を設定し、図９の平面方向（Ｘ方向）に対して、加速度ａとして１Ｇを加えた場合の梁厚（横軸）及び梁幅（線種）と重りの変位量（縦軸）を示す。また、図１４の表は、種々の梁厚及び梁幅条件による重りの変位量を示し、斜線部分は、電極間隔１μｍの条件で重りが対向電極に接触する条件を示す。なお、電極間隔１μｍの条件は、シリコンエッチングプロセスで作製可能な電極間隔の下限値に対応する。
【００７２】
次に、上述した電極間隔、梁幅及び梁厚条件と、第３のシミュレーション結果から、外形寸法１ｍｍの加速度スイッチに必要な条件について分析する。
上述したように、シリコンエッチングプロセスで作製可能な電極間隔の下限値が１μｍであるため、電極間隔の下限値を規定すると、１μｍとなる。また、電極間隔が広すぎる場合、重りと対向電極間の隙間のみならず、重りと梁及び梁と支持部との隙間も確保する必要があることから、電極間隔の上限値を規定すると２０μｍとなる。この電極間隔について、１μｍ以上、かつ２０μｍ以下の範囲を加速度スイッチの第１条件として規定する。
【００７３】
また、上述したように、梁幅について、シリコンエッチングプロセスで作製可能な梁幅の下限値である４μｍを加速度スイッチの第２条件として規定する。
【００７４】
また、上述したように、梁厚について、落下時の耐衝撃性を確保するために必要な梁厚の下限値である５μｍを加速度スイッチの第３条件として規定する。
【００７５】
さらに、外形寸法１ｍｍの加速度スイッチにおいて、感度１Ｇ以上の加速度スイッチを実現するためには、重りの変位量を１μｍ以上確保する必要があり、その条件を満たす梁幅及び梁厚は、図１４の表の斜線部分に対応する梁幅及び梁厚である。そこで、上述の加速度スイッチの第２条件と第３条件を含めて、加速度スイッチの第５条件として規定すると、具体的には、梁幅は４μｍ以上、かつ２０μｍ以下の範囲であり、梁厚は５μｍ以上、かつ５００μｍ以下の範囲となる。この梁厚の上限値は、上述した望ましいシリコン基板の厚み：５００μｍ以下の条件により規定した。また、重りの変位量を確保するためには、重りの厚さより、梁厚を薄くする方が有利であるため、実際の梁厚の上限値は、重りの厚さ以下で規定する。
【００７６】
この本発明の他の実施形態について、図１５〜１７に基づき説明する。図１５は、複数の電極に分割し、複数方向の振動を検出するようにした加速度スイッチ５０の断面図である。なお、この断面の上下には、キャップ層となる第１基板５５、支持層となる第３基板５６が存在する。図１６は、図１５で示す加速度スイッチをＡ−Ａ´面で切った縦断面図であり、図１６では第１基板５５と第３基板５６も含む。また、図１５は、図１６のＢ−Ｂ´面で切った断面図に相当する。この加速度スイッチ５０と図１で示した加速度スイッチ１０を比較すると、支持部５１ａ、梁５２、重り（質量体）５３については、同様の構成であるが、加速度スイッチの振動検出方向に合わせ、重りの内側面に沿って配列された複数の電極部５４ａ，５４ｂからなる対向電極群５４を含み、それぞれに第２の貫通電極に対応する第２の貫通電極群５８の貫通電極部５８ａ，５８ｂを含み、対向電極群５４と貫通電極群を含む第１基板５５を有する点が異なる。
【００７７】
次に、加速度スイッチ５０の動作について、図１７の説明図に基づき説明する。まず、加速度スイッチに矢印方向Ｐｘ１の加速度が加わると、重りを除く加速度スイッチ全体は矢印方向Ｐｘ１に運動する。一方、梁で支えられた重りは、直接加速度が加わらず運動しないため、重り内部の空間に配置されている電極部５４ａと重り５３が接触する。これにより、重り５３と電極部５４ａとの電気的導通が確保され、図１５及び図１６で示すように、第１の貫通電極５７と第１の貫通電極部５８ａは電気的に接続する。一方、重り５３と電極部５４ｂが接触しないため、第１の貫通電極と貫通電極部５８ｂは電気的に接続しない。
【００７８】
また、図１７に示す加速度スイッチに矢印方向Ｐｘ１とは逆方向となる、矢印方向Ｐｘ２に加速度が加わると、重り５３を除く加速度スイッチ全体は矢印方向Ｐｘ２に運動することにより、電極部５４ｂと重り５３が接触する。これにより、重り５３と電極部５４ｂとの電気的導通が確保され、貫通電極５７と貫通電極部５８ｂは電気的に接続する。一方、重り５３と電極部５４ａが接触しないため、第１の貫通電極５７と貫通電極部５８ａは電気的に接続しない。
【００７９】
したがって、加速度スイッチ５０の第１の貫通電極５７及び第２の貫通電極群５８の貫通電極部５８ａ，５８ｂを外部回路に接続し、第１の貫通電極５７、貫通電極部５８ａ、または第１の貫通電極５７、貫通電極部５８ｂ間の導通を外部回路にて検出することにより、一定値以上の振動検出のみならず、振動方向を検出することができ、加速度スイッチに対する振動方向や傾き方向を検出することが可能となる。
【００８０】
さらに、細かく振動方向を検出する場合には、重りの内側面と接触し、径方向に分割され、周方向に配列された複数の電極部を必要な数だけ備えることで、その振動方向を検出することができる。例えば、四方向の加速度の方向を検出する場合、図１８の加速度スイッチ６０に示すように、振動検出方向に応じて、重りの内側面に沿って周方向に配列された電極部６４ａ〜６４ｄを備える対向電極群６４を、加速度スイッチ１０の対向電極１４と置き換え、さらに、各々の電極面と接続する第２の貫通電極群を含む第１基板（図示しない）と置き換える構成にするとよい。
【００８１】
なお、本発明の技術範囲は前記実施の形態を限定するものではなく、本発明の趣旨を逸脱しない範囲でバリエーションを持たせることが可能である。特に、本発明の技術範囲は加速度スイッチの外形寸法を２ｍｍ角及び１ｍｍ角に限定したり、加速度スイッチの感度を１Ｇに限定したりするものではなく、本発明の趣旨を逸脱しない範囲で、加速度スイッチのサイズ、及び加速度スイッチを設計する際に想定する感度等に応じて種々の変更を加えることも可能である。
【符号の説明】
【００８２】
１０，２０，３０，４０，５０，６０  加速度スイッチ
１１，２１，３１，４１，５１  第２基板
１２，２２，３２，４２，５２  梁
１３，２３，３３，５３  重り
１４，３４  対向電極
１５，５５  第１基板
１６，５６  第３基板
１７，５７  第２の貫通電極（支持部側）
１８，５８  第２の貫通電極（対向電極側）
１００  従来の加速度スイッチ
【図１】
2011108559.tif 000010
【図２】
2011108559.tif 000011
【図３】
2011108559.tif 000012
【図４】
2011108559.tif 000013
【図５】
2011108559.tif 000014
【図６】
2011108559.tif 000015
【図７】
2011108559.tif 000016
【図８】
2011108559.tif 000017
【図９】
2011108559.tif 000018
【図１０】
2011108559.tif 000019
【図１１】
2011108559.tif 000020
【図１２】
2011108559.tif 000021
【図１３】
2011108559.tif 000022
【図１４】
2011108559.tif 000023
【図１５】
2011108559.tif 000024
【図１６】
2011108559.tif 000025
【図１７】
2011108559.tif 000026
【図１８】
2011108559.tif 000027
【図１９】
2011108559.tif 000028
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
内側に空間を備える質量体と、前記質量体を支え、加速度を受けたときに前記質量体にかかる慣性力により撓み、かつ前記質量体を取り囲むように配置される円弧状の梁と、前記梁を支持し、固定した状態で前記質量体の周囲に配置される支持部と、前記空間内に、加速度を受けたときに前記質量体との接触を検出する対向電極とを備え、前記質量体を支える梁は１本であり、前記質量体の内側面と前記対向電極の外側面との距離となる電極間隔は１μｍ以上、かつ２０μｍ以下であり、
前記梁の厚さｈと前記梁の幅ｗは、次式に基づき設定し、
【数１】
2011108559.tif 000029
（式中、δは質量体の変位量であり、Ｅは材料のヤング率であり、変位量δは電極間隔に相当する１μｍ以上かつ２０μｍ以下の条件を満たすものである。）
前記梁の質量体側の一端と前記梁の支持部側の他端との距離が、前記対向電極と前記質量体の内面との最大距離より大きく、
第１基板と、前記質量体と前記対向電極と前記梁と前記支持部を含む第２基板と、第３基板とが積層される構成であり、前記第１基板は、外部回路と接続する接点を有し、前記支持部または前記対向電極と接続する接点とする第１の貫通電極と第２の貫通電極とを含み、前記第１基板と前記第３基板は、前記第２基板に含まれる前記支持部及び前記対向電極とに接合されており、
前記対向電極は、複数の電極部を含む、加速度スイッチと、
前記加速度スイッチから出力される検出信号を検出し、前記検出信号に応じた所定の動作を行う回路と、を備える電子デバイスであって、
前記梁が前記質量体の外周に沿って重複していないことを特徴とする電子デバイス。
【請求項２】
請求項１記載の電子デバイスにおいて、前記加速度スイッチは前記梁の厚さｈと前記梁の幅ｗが、次式に基づき設定されたことを特徴とする電子デバイス。
【数２】
2011108559.tif 000030
（式中、δは質量体の変位量であり、σは質量体材料の密度であり、ｒ１は質量体の外側の半径であり、ｒ２は質量体の内側の空間の半径であり、Ｈは質量体の厚さであり、ａは印加する加速度である。Ｒは梁の半径であり、Ｅは材料のヤング率であり、νは梁材料のポアソン比であり、変位量δは電極間隔に相当する１μｍ以上かつ２０μｍ以下の条件を満たすものである。）
【請求項３】
請求項１記載の電子デバイスにおいて、前記加速度スイッチは前記梁の幅が４μｍ以上、かつ６０μｍ以下であることを特徴とする電子デバイス。
【請求項４】
請求項１記載の電子デバイスにおいて、前記加速度スイッチは前記梁の厚さが５μｍ以上、５００μｍ以下で、かつ質量体の厚さ以下であることを特徴とする電子デバイス。
【請求項５】
請求項１記載の電子デバイスにおいて、前記加速度スイッチは支持部と質量体と梁と前記対向電極を含む加速度スイッチ本体部の外形寸法が、０．５ｍｍ以上、かつ３ｍｍ以下であることを特徴とする電子デバイス。
【請求項６】
請求項１記載の電子デバイスにおいて、前記加速度スイッチは支持部と質量体と梁と対向電極を含む加速度スイッチ本体部の外形寸法が０．５ｍｍ以上、かつ１．５ｍｍ以下であり、前記梁の幅が４μｍ以上、かつ２０μｍ以下であって、前記梁の厚さが５μｍ以上、かつ５００μｍ以下で、かつ質量体の厚さ以下であることを特徴とする電子デバイス。
【請求項７】
請求項１〜６のいずれか１項に記載の電子デバイスにおいて、前記加速度スイッチは前記梁の質量体側の一端と前記支持部との距離が、前記対向電極と前記質量体の内面との最大距離より大きいことを特徴とする電子デバイス。
【請求項８】
請求項１〜６のいずれか１項に記載の電子デバイスにおいて、前記加速度スイッチは前記質量体と前記梁の支持部側の他端との距離が、前記対向電極と前記質量体の内面との最大距離より大きいことを特徴とする電子デバイス。
【請求項９】
請求項１〜８のいずれか１項に記載の電子デバイスにおいて、前記加速度スイッチは前記質量体が円筒形状であり、前記梁が前記質量体と同心円形状であることを特徴とする電子デバイス。
【国際調査報告】
2011108559.tif 000031
2011108559.tif 000032